(57)【要約】【課題】  障子をきちんと閉じ切ることのできる建具の提供。【解決手段】  障子１と下枠２とを備え、下枠２は、戸先側レール４と、戸尻側レール５と、両レール４，５間に配置した連結材６を有し、連結材６は、障子１を閉じ切った状態で戸尻側戸車３ｂの戸尻側に隣接する位置に、戸尻側に向かうにつれて上り勾配の傾斜部７を有する。【選択図】      図１
2015090061.tif 000002
【特許請求の範囲】
【請求項１】
障子と下枠とを備え、下枠は、戸先側レールと、戸尻側レールと、両レール間に配置した連結材を有し、連結材は、障子を閉じ切った状態で戸尻側戸車の戸尻側に隣接する位置に、戸尻側に向かうにつれて上り勾配の傾斜部を有することを特徴とする建具。
【請求項２】
障子と下枠とを備え、下枠は、戸先側レールと、戸尻側レールと、両レール間に配置した連結材を有し、戸尻側レールは戸先側レールよりも高く、連結材は、障子を閉じ切った状態で戸尻側戸車の戸尻側に隣接する位置に、戸尻側に向かうにつれて上り勾配の傾斜部を有することを特徴とする建具。
【発明の詳細な説明】
【技術分野】
【０００１】
本発明は、浴室戸等に用いられる建具に関する。
【背景技術】
【０００２】
従来、引戸タイプの浴室戸等においては、障子を勢いよく閉めると障子が竪枠に当たった反動で戻り、障子がきちんと閉じ切っていないことがあり、それに気付かずに浴室で水を使うと竪枠と障子の間から水漏れする不都合があった。
【先行技術文献】
【特許文献】
【０００３】
【特許文献１】特開２００１−１７３３１７号公報
【発明の概要】
【発明が解決しようとする課題】
【０００４】
本発明は以上に述べた実情に鑑み、障子をきちんと閉じ切ることのできる建具の提供を目的とする。
【課題を解決するための手段】
【０００５】
上記の課題を達成するために請求項１記載の発明による建具は、障子と下枠とを備え、下枠は、戸先側レールと、戸尻側レールと、両レール間に配置した連結材を有し、連結材は、障子を閉じ切った状態で戸尻側戸車の戸尻側に隣接する位置に、戸尻側に向かうにつれて上り勾配の傾斜部を有することを特徴とする。
【０００６】
請求項２記載の発明による建具は、障子と下枠とを備え、下枠は、戸先側レールと、戸尻側レールと、両レール間に配置した連結材を有し、戸尻側レールは戸先側レールよりも高く、連結材は、障子を閉じ切った状態で戸尻側戸車の戸尻側に隣接する位置に、戸尻側に向かうにつれて上り勾配の傾斜部を有することを特徴とする。
【発明の効果】
【０００７】
請求項１記載の発明による建具は、下枠に戸先側レールと、戸尻側レールと、両レール間に配置した連結材を有し、連結材は、障子を閉じ切った状態で戸尻側戸車の戸尻側に隣接する位置に、戸尻側に向かうにつれて上り勾配の傾斜部を有しており、障子を閉める際に戸尻側戸車が傾斜部を転がることで障子が閉じ切り位置に誘導されるため、障子を勢いよく閉めたときや、障子をゆっくりと最後に手を放すようにして閉めたときでも、障子をきちんと閉じ切ることができる。戸先側レールと戸尻側レール間に配置した連結材を利用することで、傾斜部を設けるのが容易になる。
【０００８】
請求項２記載の発明による建具は、下枠に戸先側レールと、戸尻側レールと、両レール間に配置した連結材を有し、連結材は、障子を閉じ切った状態で戸尻側戸車の戸尻側に隣接する位置に、戸尻側に向かうにつれて上り勾配の傾斜部を有しており、障子を閉める際に戸尻側戸車が傾斜部を転がることで障子が閉じ切り位置に誘導されるため、障子を勢いよく閉めたときや、障子をゆっくりと最後に手を放すようにして閉めたときでも、障子をきちんと閉じ切ることができる。戸先側レールと戸尻側レール間に配置した連結材を利用することで、傾斜部を設けるのが容易になる。さらに、戸尻側レールを戸先側レールよりも高くしたことで、連結材に戸尻側に向かうにつれて上り勾配の傾斜部と逆勾配の傾斜部を設ける必要がなく、障子を閉める際に戸車は傾斜部を下る方向に転がるだけなので、障子の閉操作がより滑らかになる。
【図面の簡単な説明】
【０００９】
【図１】下枠のレールを脱衣室側から見た正面図である。
【図２】本発明の一実施形態に係る建具の浴室側から見た正面図である。
【図３】同建具の縦断面図である。
【図４】同建具の横断面図である。
【図５】下枠のレールを示す斜視図である。
【図６】下枠のレールを示す斜視図であって、戸先側レールを取り外した状態を示す。
【図７】下枠のレールの他の実施形態を示す脱衣室側から見た正面図である。
【図８】同下枠レールの斜視図である。
【発明を実施するための形態】
【００１０】
以下、本発明の実施の形態を図面に基づいて説明する。図１〜６は、本発明に係る建具の一実施形態であって、片引戸タイプの浴室戸に適用した場合を示している。本建具は、図２〜４に示すように、上枠８と下枠２と左右の竪枠９ａ，９ｂを枠組みし、上下枠８，２の中間部に方立１０を架設した枠１１と、枠１１内に上下枠８，２に沿ってスライド開閉自在に納めた１枚の障子１を備えている。枠１１は、浴室側から見て左側の竪枠８ｂと方立１０との間が戸袋部１２となっており、戸袋部１２には戸袋パネル１３が取付けてある。
【００１１】
下枠２は、図３，５示すように、下枠本体１４と、下枠本体１４上の脱衣室側寄りの位置に着脱自在に設けたレール４，５と、下枠本体１４上のレール４，５の浴室側に着脱自在に設けたスロープ１５を備えている。
下枠本体１４は、上面が浴室側に向かうにつれて下り勾配で傾斜しており、脱衣室側の端部に立ち上がり部１６と、脱衣室側にのびる延出片１７を有しており、立ち上がり部１６には脱衣室側への水の浸入を防ぐヒレ片１８が上方に突出して設けられ、延出片１７は図示しない脱衣室の床材にネジ止めされる。
レール４，５は、図１，５に示すように、戸先側レール４と戸尻側レール５とに分割してあり、戸先側レール４と戸尻側レール５との間には連結材６が設けてある。各レール４，５は、見込み方向の幅が１０ｍｍある矩形状の断面となっている。障子１の戸車３ａ，３ｂは、車輪の幅がレール４，５の幅よりも狭くなっており（６ｍｍ）、厳密にはレール４，５の上面の幅方向の中央部のみを走行する。
【００１２】
連結材６は、硬質樹脂で形成されたピース状の部材であり、下枠本体１４上面にビス等で固定して取付けられ、戸先側レール４と戸尻側レール５とを繋いでいる。連結材６は、上面の戸先側に戸尻側に向かうにつれて上り勾配の傾斜部７を有し、傾斜部７の下端は戸先側レール４の戸尻側端と連続し、上面の戸尻側に戸尻側に向かうにつれて下り勾配の傾斜部１９を有し、傾斜部１９の下端は戸尻側レール５の戸先側端と連続しており、両傾斜部７，１９の間の上面に水平部２０を有している。また連結材６は、下向きに開口し見込み方向に連通した水抜き孔２１が左右方向に間隔をおいて複数設けられており、レール４，５の脱衣室側に浸入した水は、その水抜き孔２１を通じて浴室側に排水される。さらに連結材６は、図１，６に示すように、戸先側と戸尻側の端部にレール４，５との嵌合部２２を有しており、戸先側レール４と戸尻側レール５の端部を嵌合部２２に上方から嵌合させることで、戸先側レール４と戸尻側レール５を位置決めしている。
【００１３】
スロープ１５は、図３に示すように、浴室側に下り勾配で傾斜した傾斜部１５ａと、その脱衣室側に水平部１５ｂを有し、水平部１５ｂの上面とレール４，５の上面を脱衣室側の床面と略同一高さとすることで、浴室の床面３８と脱衣室の床面との間の段差を解消している。スロープ１５の脱衣室側の端部にはタイト材２３が設けられ、タイト材２３は障子１の下端部の浴室側面に当接している。下枠本体１４の上面には位置決め部材２４が取付けてあり、スロープ１５の下面に突設した脚部１５ｃを位置決め部材２４に係合することで、スロープ１５を位置決めしている。
【００１４】
障子１は、図２〜４に示すように、上框２５と下框２６と戸先框２７と戸尻框２８とを框組みし、その枠内に樹脂製のパネル２９を嵌め込んで構成され、下框２６下部の戸先側と戸尻側とに戸車３ａ，３ｂを設けてある。下框２６は、図３に示すように、下端部に下枠２のレール４，５を呑み込む溝３０を有している。戸先框２７と戸尻框２８の下端部には樹脂製のキャップ３１が取付けてあり、キャップ３１がレール４，５に案内されることで、障子１が見込み方向にぶれることなくスライドする。
【００１５】
図１に示すように、障子１を閉じ切った状態では、戸尻側の戸車３ｂは連結材６に設けた戸尻側に向かうにつれて上り勾配の傾斜部７と隣接する位置にあって、該傾斜部７の下端部と接している。そのため連結材６は、下枠２の長手方向のちょうど真ん中ではなく、障子１を閉め切ったときの戸尻側の戸車３ｂの位置に合わせて配置される。
【００１６】
また本浴室戸は、図４に示すように、障子１を閉じ切った状態で戸先框２７と竪枠９ａとの間に隙間３２ができ、この隙間３２を通じて浴室の換気が行えるようにしている。なおこの隙間３２は、戸先框２７と竪枠９ａの長手方向の全長にわたって設けてあってもよいが、長手方向の一部だけに隙間３２を設け、他の部分はタイト材で塞いでもよい。一般的な浴室戸では、上框又は下框に換気ガラリを設けることが多いが、そうすると上框又は下框の見付け寸法が太くなる。本実施形態のように、戸先框２７と竪枠９ａとの間の隙間３２を通じて換気を行えば、上框２５と下框２６の見付け寸法を細くでき、意匠性が向上する。戸先框２７には、浴室側と脱衣室側に引手３３ａ，３３ｂが設けてあり、浴室側の引手３３ａは竪枠内周側のフィン３４を跨ぐように浴室側に大きく突出しており、且つ戸先側に向けて突出してフィン３５が設けてあり、この引手３３ａのフィン３５が竪枠９ａのフィン３４と見込み方向に重なることで、戸先框２７と竪枠９ａとの間の隙間３２からの水の浸入を防いでいる。
【００１７】
方立１０は、図４に示すように、脱衣室側面の内周側縁部にタイト材３６が設けてあり、タイト材３６は脱衣室側に向けて突出するヒレ片３６ａを有している。戸尻框２８は、内周側縁部に浴室側に突出する突条３７を有しており、障子１を閉じ切ると突条３７がタイト材３６のヒレ片３６ａを戸先側に押すように当接し、これにより方立１０と戸尻框２８間の水密性・気密性を確保している。
【００１８】
以上に述べたように本浴室戸は、下枠２の戸先側レール４と戸尻側レール５の間に配置した連結材６の障子１を閉じ切った状態で戸尻側戸車３ｂの戸尻側に隣接する位置に、戸尻側に向かうにつれて上り勾配の傾斜部７を有しているので、障子１を閉める際に戸尻側戸車３ｂが該傾斜部７の上まで来れば、障子１は閉じ切り位置まで勝手に閉まる。また、障子１を勢いよく閉めた場合に、戸先框２８が竪枠９ａに衝突して反動で戻ろうとしても、戸尻側戸車３ｂが傾斜部７を転がって元に戻るので、障子１が閉じ切り位置に保たれる。すなわち本浴室戸は、障子１の閉め方によらず、障子１をきちんと閉じ切ることができる。障子１が常にきちんと閉じ切ることで、竪枠９ａと戸先框２７の間から水が浸入するのを防止できる。特に本実施形態の浴室戸では、竪枠９ａと戸先框２７との間に換気のための隙間３２を設けているため、障子１の閉じ切り位置がユーザーに分かりづらいが、上述の傾斜部７の作用により、確実に閉じ切り位置で障子１を止めることができる。また、戸尻側戸車３ｂが傾斜部７に接していることで、障子１に閉じる方向の力が働くので、方立１０のタイト材３６に戸尻框２８を強く押し付けられ、水密性・気密性が向上する。本浴室度は、障子１の開閉時に戸尻側戸車３ｂが傾斜部７，１９を乗り越えるが、傾斜部７，１９の高さは数ｍｍで、障子１の大きさからすると僅かなので、障子開閉時に特に違和感がない。
また本浴室戸は、下枠２のレールを戸先側レール４と戸尻側レール５とに分割し、戸先側レール４と戸尻側レール５の間に配置した連結材６に傾斜部７，１９を設けたので、レール自体に傾斜部を設けるよりも、傾斜部７，１９を容易に且つ丈夫に設けることができ、傾斜部７，１９の位置決めも容易である。連結材６は、障子１を閉じ切った状態における戸尻側戸車３ｂの戸尻側に配置されるため、障子１を閉じ切った状態から全開状態にわたって、連結材６は常に障子１の下に隠れているため、連結材６の傾斜部７，１９、水平部２０が人の出入りの妨げとなることがなく、安全性が高い。また、連結材６の傾斜部７，１９の位置を決めた上で、連結材６の嵌合部２２に上方から嵌合させて戸先側レール４と戸尻側レール５を取付けられるので、製作・加工が容易で、施工性もよい。さらに、連結材６に水抜き孔２１を設けることで、レール４，５の脱衣室側に浸入した水を排水することもできる。また、障子１を左右どちらか一方側に寄せると、障子１を枠１１から取外すことなく他方側のレール４又は５を取り外すことができ、スロープ１５も着脱自在なので、下枠２の清掃が容易である。
【００１９】
図７，８は、下枠２のレール４，５の他の実施形態を示している。下枠２のレール４，５は、戸先側レール４と戸尻側レール５とに分割され、戸尻側レール５を戸先側レール４よりも高くしている。戸先側レール４と戸尻側レール５の間には連結材６が設けられ、連結材６の上面には戸尻側に向かうにつれて上り勾配の傾斜部７を有し、高さの違うレール４，５の上面を滑らかに連続させている。逆勾配（戸尻側に向かうにつれて下り勾配）の傾斜部１９は有していない。障子１を閉じ切った状態では、戸尻側戸車３ｂの戸尻側に連結材６の傾斜部７が隣接して位置する。
【００２０】
本実施形態によれば、先の実施形態と同様に、連結材６の傾斜部７により障子１をきちんと閉じ切ることができ、逆勾配の傾斜部１９を有していないため、障子１を閉める際には戸尻側戸車３ｂが傾斜部７を下る方向に転がるだけなので、障子１の閉操作がより滑らかになる。
【００２１】
本発明は以上に述べた実施形態に限定されない。実施形態は片引戸タイプであるが、引違いタイプ、三枚引戸タイプ等でもよい。レールや連結材の形状、材質、取付け方等は、適宜変更することができる。本発明の建具は、竪枠と障子の戸先框との間から換気するものに限らず、上框又は下框に換気部を設けたものや、換気部を有しないものであってもよい。本発明の建具は、浴室戸に限らず、玄関、部屋の出入口等にも適用することができる。
【符号の説明】
【００２２】
１  障子
２  下枠
３ｂ  戸尻側戸車
４  戸先側レール
５  戸尻側レール
６  連結材
７  傾斜部
【図１】
2015090061.tif 000003
【図２】
2015090061.tif 000004
【図３】
2015090061.tif 000005
【図４】
2015090061.tif 000006
【図５】
2015090061.tif 000007
【図６】
2015090061.tif 000008
【図７】
2015090061.tif 000009
【図８】
2015090061.tif 000010